(57)【要約】      （修正有）【課題】携帯端末から動作電力及びデジタルＴＶ信号を受け、該デジタルＴＶ信号をデコードし、エンコードし、また再生のために前記デジタルＴＶ信号を前記携帯端末に送るバッテリーレスのデジタルＴＶ信号機を提供する。【解決手段】バッテリーレスデジタルＴＶ受信機が携帯端末に接続されると、切り換え電力変換モジュールが、コネクタを通して携帯端末から出力された電力を得て、特定の電流下に動作電力を制限し、動作電力をＲＦ受信モジュール、デジタルＴＶプロセッサ及び認証チップに供給する。認証チップ及び携帯端末が認証段階を終えた後、デジタルＴＶプロセッサは、ＲＦ受信モジュールからデジタルＴＶ信号を受ける。デジタルＴＶ信号は、デコードされ、携帯端末に送られ、該携帯端末で表示される。【選択図】図２
0003172395.tif 000002
【実用新案登録請求の範囲】
【請求項１】
本体と、
電力入力端子及び一組の信号アクセスピンを有し、前記本体に設置されたコネクタと、
前記本体に設置されたアンテナポートと、
少なくとも１つの電力入力端子、前記コネクタの前記一組の信号アクセスピンに接続された一組の信号アクセス端子、一組の認証データアクセス端子、及び少なくとも一組の無線周波数（ＲＦ）信号入力端子を有するデジタルＴＶプロセッサと、
前記本体の前記アンテナポートに接続された少なくとも一組のデジタル信号入力端子、前記デジタルＴＶプロセッサの前記少なくとも一組のＲＦ信号入力端子にそれぞれ接続された少なくとも一組のデジタル信号出力端子、及び電力入力端子を有するＲＦ受信モジュールと、
前記デジタルＴＶプロセッサの前記一組認証データアクセス端子に接続された一組の認証データアクセス端子、及び電力入力端子を有する認証チップと、
前記コネクタの前記電力入力ピンに接続された少なくとも一つの電力入力端子、及び前記デジタルＴＶプロセッサ、前記ＲＦ受信モジュール及び前記認証チップの前記電力入力端子にそれぞれ接続された複数の電力出力端子を有する切り換え電力変換モジュールとを含み、
前記デジタルＴＶプロセッサ、ＲＦ受信モジュール、認証チップ及び切り換え電力変換モジュールは、前記本体内に設置されている、バッテリーレスのＴＶ受信機。
【請求項２】
前記切り換え電力変換モジュールは、第１の切り換え電力コンバータと、第２の切り換え電力コンバータとを備え、前記第１の切り換え電力コンバータ及び第２の切り換え電力コンバータのそれぞれは、前記コネクタの電力入力ピンに接続される電力入力端子を有する、請求項１に記載のバッテリーレスＴＶ受信機。
【請求項３】
前記ＲＦ受信モジュールは、
それぞれが一組の超短波（ＶＨＦ）出力端子及び一組の極超短波（ＵＨＦ）出力端子を有する２つのデジタル信号チューナと、
二組の整合用の誘導子及びコンデンサとを備え、
各デジタル信号チューナは、前記二組の整合用の誘導子及びコンデンサの一組を通して前記本体の前記アンテナポートに接続される入力端子を有する、請求項２に記載のバッテリーレスＴＶ受信機。
【請求項４】
前記デジタルＴＶプロセッサは、デジタルＴＶ信号を変換し、生成し、また二組のＲＦ信号入力端子であってそれぞれが前記ＶＨＦ及びＵＨＦデジタルＴＶ信号を受けるべく前記一組のＶＨＦの出力端子及び前記一組のＵＨＦ出力端子に接続される二組のＲＦ信号入力端子を有する、請求項３に記載のバッテリーレスデジタルＴＶ受信機。
【請求項５】
さらに、前記本体内に設置され、前記デジタルＴＶプロセッサの前記一組の認証データアクセス端子に接続された一組の認証データアクセス端子を有するメモリーを含む、請求項４に記載のバッテリーレスデジタルＴＶ受信機。
【請求項６】
前記デジタルＴＶ受信機は、携帯端末とインタフェース適合する汎用非同期送受信回路(ＵＡＲＴ)インタフェースを備える、請求項５に記載のバッテリーレスデジタルＴＶ受信機。
【請求項７】
前記本体は電力ピンを有する電力ポートを有し、前記コネクタは前記本体の前記電力ポートの前記電力ピンに接続された電力出力ピンを有する、請求項１から６のいずれか一項に記載のバッテリーレスデジタルＴＶ受信機。
【請求項８】
前記電力出力ピンは保護モジュールを通して前記コネクタの前記電力出力ピンに接続されており、
前記保護モジュールは、
前記電力ポートの前記電力ピンに接続された入力端子、前記コネクタの前記電力出力ピンに接続された出力端子、及びイネーブル端子を有する電力供給装置と、
電子スイッチと、
出力端子を有し、前記電力ポートの前記電力ピンに接続され、前記電力ポートを通して入力した直流電力が定格電圧を越えているか否かを検出し、前記電力供給装置が前記電子スイッチを通して電力を供給するか否かを決定する探知装置とを備える、請求項７に記載のバッテリーレスデジタルＴＶ受信機。
【請求項９】
前記電子スイッチは、エンハンスメント形ＮＭＯＳ（Ｎチャネル型ＭＯＳＦＥＴ）により形成されており、該エンハンスメント形ＮＭＯＳのゲートは、前記探知装置の前記出力端子に接続されており、前記エンハンスメント形ＮＭＯＳのドレインは前記電力供給装置の前記イネーブル端子に接続されている、請求項８に記載のバッテリーレスデジタルＴＶ受信機。
【請求項１０】
前記電力ポートは、マイクロＵＳＢインタフェースである、請求項７に記載のバッテリーレスデジタルＴＶ受信機。
【考案の詳細な説明】
【技術分野】
【０００１】
本考案は、デジタルテレビ(ＴＶ)受信機に関し、より詳細には、携帯端末で表示できるようにデジタルＴＶ信号を変換すべく前記携帯端末に接続され、該携帯端末から電力を受ける、バッテリー無しすなわちバッテリーレスのデジタルテレビ受信機に関する。
【背景技術】
【０００２】
携帯端末の普及に遅れを取らないために、携帯端末と連携する周辺機器はより多様化された。ｉＰｏｎｅ、ｉＰａｄ及びｉＰｏｄなどのアップル製品の大反響の背景で、前述の携帯端末のための周辺機器はまた急発展して市場に出現している。デジタルＴＶ信号を受け、またデジタルＴＶ番組を表示する受信機は、前述の携帯端末のための周辺機器の１つである。そのような受信機は携帯電話又はタブレットパーソナルコンピュータ（ＰＣ）と接続することができ、前記受信機は、ユーザが前記携帯電話又はタブレットＰＣでデジタルＴＶ番組を見ることができるように、受信し、デコードしまたエンコードしたデジタルＴＶ信号を前記携帯電話又はタブレットＰＣが再生すべく携帯電話又はタブレットＰＣに送る。
【０００３】
しかしながら、デジタルＴＶ受信機は、動作電力を供給するためのバッテリーを必要とするので、比較的大きく重く、また、広いスペースをとり、運搬時に不便である。このような背景の下、デジタルＴＶ受信機が携帯端末から電力を得ることができるなら、携帯性についての懸念は問題ではなくなる。しかし、携帯端末のメーカには、通常、周辺機器について厳密な仕様書要求事項がある。例えば、アップル社は、１００ｍＡより少ない電流出力など、周辺機器への厳密な動作電流制限を課す。したがって、従来のデジタルＴＶ受信機には、携帯性を高めること及び携帯端末メーカに要求された周辺機器の仕様書要求事項を満たすことの双方が要求される。
【考案の概要】
【考案が解決しようとする課題】
【０００４】
本考案の目的は、携帯端末から動作電力及びデジタルＴＶ信号を受け、該デジタルＴＶ信号をデコードし、エンコードし、また再生のために前記デジタルＴＶ信号を前記携帯端末に送るバッテリーレスのデジタルＴＶ受信機を提供することにある。
【課題を解決するための手段】
【０００５】
前述の目的を達成するために、前記バッテリーレスデジタルＴＶ受信機は、本体と、コネクタと、アンテナポートと、デジタルＴＶプロセッサと、ＲＦ受信モジュールと、認証チップと、切り換え電力変換モジュールとを備える。
【０００６】
前記コネクタは、前記本体に設置されており、電力入力ピンと、一組の信号アクセスピンとを有する。
【０００７】
前記アンテナポートは前記本体に設置されている。
【０００８】
前記デジタルＴＶプロセッサは、少なくとも1つの電力入力端子と、一組の信号アクセス端子と、一組の認証データアクセス端子と、一組のＲＦ信号入力端子とを有する。前記一組の信号アクセス端子は、前記コネクタの前記一組の信号アクセスピンに接続されている。
【０００９】
前記ＲＦ受信モジュールは、少なくとも一組のデジタル信号入力端子と、少なくとも一組のデジタル信号出力端子と、電力入力端子とを有する。
【００１０】
前記少なくとも一組のデジタル信号入力端子は、前記本体の前記アンテナポートに接続されている。
【００１１】
前記少なくとも一組のデジタル信号出力端子は、前記デジタルＴＶプロセッサの前記少なくとも一組のＲＦ信号入力端子にそれぞれ接続されている。
【００１２】
前記認証チップは、一組の認証データアクセス端子と、電力入力端子とを有する。前記一組の認証データアクセス端子は、前記デジタルＴＶプロセッサの前記一組の認証データアクセス端子に接続されている。
【００１３】
前記切り換え電力変換モジュールは、少なくとも1つの電力入力端子と、複数の出力端子とを有する。前記少なくとも1つの電力入力端子は、前記コネクタの前記電力入力ピンに接続されている。前記出力端子は、前記デジタルＴＶプロセッサの前記電力入力端子、前記ＲＦ受信モジュール及び前記認証チップの前記電力入力端子にそれぞれ接続されている。前記デジタルＴＶプロセッサ、前記ＲＦ受信モジュール、前記認証チップ及び前記切り換え電力変換モジュールは、前記本体内に設置されている。
【００１４】
前記切り換え電力変換モジュールは、電力切り換え技術に基づいて設計されるので、より高い電圧変換効率を有する。さらに、前記変換された電圧は、より優れた電圧安定性を有する。したがって、パワー損失は比較的低いので、出力電流について公示される携帯端末の制限に適合する。
【００１５】
バッテリーレスデジタルＴＶ受信機が与えられると、ユーザは、該デジタルＴＶ受信機の前記本体の前記コネクタを携帯端末に差し込むことができる。前記切り換え電力変換モジュールは、前記コネクタを通して前記携帯端末から出力された電力を受け、前記デジタルＴＶプロセッサ、前記ＲＦ受信モジュール及び認証チップに、それらの動作のために、電力を出力する。前記認証チップを通して前記携帯端末からの認証承認を取得した後、前記デジタルプロセッサは、受信したデジタルＴＶ信号をデコードし、エンコードし、また前記携帯端末が対応するデジタルＴＶ番組を表示するように、前記デジタルＴＶ信号を前記携帯端末に送る。前述の設計は、前記デジタルＴＶ受信機が前記携帯端末の電力仕様書要求事項下で動作することを可能にする。
【図面の簡単な説明】
【００１６】
【図１】本考案に係るバッテリーレスのデジタルＴＶ受信機の斜視図である。
【図２】図１のバッテリーレスデジタルＴＶ受信機の機能ブロック図である。
【図３】図２のバッテリーレスデジタルＴＶ受信機の第１の部分的な回路図である。
【図４】図２のバッテリーレスデジタルＴＶ受信機の第２の部分的な回路図である。
【図５】図２のバッテリーレスデジタルＴＶ受信機の第３の部分的な回路図である。
【図６】図１のバッテリーレスデジタルＴＶ受信機の運用中の平面図である。
【考案を実施するための形態】
【００１７】
図１を参照するに、本考案に係るバッテリーレスのデジタルＴＶ受信機は、本体１０、コネクタ１１及びアンテナポート１２を備える。前記コネクタ１１及びアンテナポート１２は、本体１０上に設置されている。コネクタ１１は、電力入力ピンと、一組の信号アクセスピンとを有する。図２を参照するに、前記バッテリーレスデジタルＴＶ受信機は、さらに、本体１０内に設置されたデジタルＴＶプロセッサ２０、無線周波数（ＲＦ）を受信するモジュール３０、認証チップ４０、メモリー５０及び切り換え電力変換モジュール６０を有する。
【００１８】
図３を参照するに、前記コネクタの実施形態が右側に示されている。本実施形態では、コネクタ１１は、アップル社によって作られたスマート携帯電話のｉＰｏｎｅ、タブレットＰＣのｉＰａｄ及びデジタルプレーヤのｉＰｏｄ(以下で携帯端末と称す。)の入出力インタフェースと互換性を有する３０ピンコネクタに関連する。コネクタ１１のピン８は出力ピン(５．０Ｖ)であり、ピン１３は電力入力ピン(ＶＣＣ３．３Ｖ)であり、ピン４及び６は一組の信号アクセスピンに対応している。前記電力入力ピン(ＶＣＣ３．３Ｖ)は、切り換え電力変換モジュール６０に接続されている。前記バッテリーレスデジタルＴＶ受信機がコネクタ１１を通して携帯端末に接続されていると、３．３Ｖの直流電流が前記電力入力ピン(ＶＣＣ３．３Ｖ)を通して前記携帯端末から取得される。
【００１９】
図４を参照するに、切り換え電力変換モジュール６０は、第１の切り換え電力コンバータ６１と、第２の切り換え電力コンバータ６２とを有する。第１の切り換え電力コンバータ６１及び第２の切り換え電力コンバータ６２の電力入力端子(ＩＮ)は、本体１０内のデジタルＴＶプロセッサ２０などの回路や素子にそれぞれ供給する１．８Ｖの直流電力及び１．２Ｖの直流電力を変換して生成するために、コネクタ１１の電力入力ピン(ＶＣＣ３．３Ｖ)に接続されている。第１の切り替え電力コンバータ６１及び第２の切り換え電力コンバータ６２は、パルス幅変調(ＰＷＭ)で出力電圧を制御され、またフィードバックによって出力電圧が調整されるので、１００ｍＡより少ない動作電流の要件を含み、出力電圧(電流)に関する厳しい仕様要求事項を満たすことができる。
【００２０】
さらに、図３を参照するに、デジタルＴＶプロセッサ２０は、デジタルＴＶ信号の特定のタイプを変換するように作用する。本実施形態では、デジタルＴＶプロセッサ２０は、ＤＶＢ-Ｔ及びＩＳＤＢ-Ｔ規格に従ってデジタルＴＶ信号を処理するように作用する。デジタルＴＶプロセッサ２０は、二組のＲＦ信号入力端子(ＵＨＦＰ、ＵＨＦＮ、ＶＨＦＰ、ＶＨＦＮ)、一組の信号アクセス端子(ＵＳＢ_ＤＮ、ＵＳＢ_ＤＰ)及び一組の認証データアクセス端子(ＨＧＳＣＬＫ、ＨＧＳＤ)を有する。二組のＲＦ信号入力端子(ＵＨＦＰ、ＵＨＦＮ、ＶＨＦＰ、ＶＨＦＮ)は、ＵＨＦ(極超短波)及びＶＨＦ(超短波)のデジタルＴＶ信号を受けるように作用する。一組の信号アクセス端子(ＵＳＢ_ＤＮ、ＵＳＢ_ＤＰ)は、コネクタ１１を通してデジタルＴＶ信号を携帯端末に送るように作用する。一組の認証データアクセス端子(ＨＧＳＣＬＫ、ＨＧＳＤ)は、認証チップ４０及びメモリー５０に接続されている。
【００２１】
認証チップ４０及びメモリー５０のそれぞれは、一組の認証データアクセス端子(ＨＧＳＣＬＫ、ＨＧＳＤ)と、電力入力端子(ＶＣＣ３．３Ｖ)とを有する。一組の認証データアクセス端子(ＨＧＳＣＬＫ、ＨＧＳＤ)は、デジタルＴＶプロセッサ２０の前記一組の認証データアクセス端子(ＨＧＳＣＬＫ、ＨＧＳＤ)に接続されている。前記電力入力端子(ＶＣＣ３．３Ｖ)は、コネクタ１１の前記電力入力端子(ＶＣＣ３．３Ｖ)に接続されている。
【００２２】
図５を参照するに、ＲＦ受信モジュール３０は、２つのデジタル信号チューナ３１、３２及び二組の整合用受動素子から構成されている。デジタル信号チューナ３１の入力端子ＵＢは、一組の整合用の誘導子(Ｌ９、Ｌ１０、Ｌ１１)及びコンデンサ(Ｃ５６、Ｃ６０)を通してアンテナポート１２に接続されている。デジタル信号チューナ３２の入力端子ＵＢは、他の一組の整合用の誘導子(Ｌ１２、Ｌ１４、Ｌ１５)及びコンデンサ(Ｃ５３、Ｃ５９)を通してアンテナポート１２に接続されている。デジタル信号チューナ３１及び３２は、一組のＶＨＦ出力端子(ＶＨＦＰ、ＶＨＦＮ)及び一組のＵＨＦ出力端子(ＵＨＦＰ、ＵＨＦＮ)をそれぞれ有する。前記一組のＶＨＦ出力端子(ＶＨＦＰ、ＶＨＦＮ)は、デジタルＴＶプロセッサ２０の前記一組のＲＦ信号入力端子(ＶＨＦＰ、ＶＨＦＮ)に接続されている。
一方の前記一組のＵＨＦ出力端子(ＵＨＦＰ、ＵＨＦＮ)は、デジタルＴＶプロセッサ２０の他方の前記一組のＲＦ信号入力端子(ＵＨＦＰ、ＵＨＦＮ)に接続されている。
【００２３】
ＲＦ受信モジュール３０のＵＨＦデジタル信号は、一組の整合用の誘導子(Ｌ９、Ｌ１０、Ｌ１１)及びコンデンサ(Ｃ５６、Ｃ６０)の共振を利用することによって得られる。ＲＦ受信モジュール３０のＶＨＦデジタル信号は、他の一組の整合用の誘導子(Ｌ１２、Ｌ１４、Ｌ１５)及びコンデンサ(Ｃ４９、Ｃ５３、Ｃ５９)の共振を利用することによって得られる。前記ＵＨＦデジタル信号及びＶＨＦデジタル信号の不安定な信号は、デジタル信号チューナ３１、３２によって安定した信号にそれぞれ変換され、当該安定した信号は、デジタル信号プロセッサ２０の二組のＲＦ信号入力端子(ＵＨＦＰ、ＵＨＦＮ、ＶＨＦＰ、ＶＨＦＮ)にそれぞれ出力される。
【００２４】
図６を参照するに、前記デジタルＴＶ受信機の本体１０のコネクタ１１は、携帯端末のソケットと電気的に接続され、前記デジタルＴＶ受信機のアンテナポート１２には、デジタル信号を受信可能なアンテナ１２１が差し込まれる。前記携帯端末のための動作電圧３.３Ｖがコネクタ１１の電力入力ピン(ＶＣＣ３．３Ｃ)を通して取得される。前記動作電圧３.３Ｖは、切り換え電力変換モジュール６０を通してデジタルＴＶプロセッサ２０を動作するための動作電圧(１．８Ｖ、１．２Ｖ)に、さらに変換される。前記携帯端末から出される認証承認の獲得のために、認証チップ４０及び認証データを格納しているとメモリー５０は、前記一組の認証データアクセス端子(ＨＧＳＤ、ＨＧＳＣＬＫ)及び前記一組の信号アクセス端子(ＵＳＢ_ＤＮ、ＵＳＢ_ＤＰ)を通して前記認証データを前記携帯端末に送信する。前記携帯端末が認証承認を送った後、デジタルＴＶプロセッサ２０の二組のＲＦ信号入力端子(ＵＨＦＰ、ＵＨＦＮ、ＶＨＦＰ、ＶＨＦＮ)は、アンテナ１２１から受信したデジタル信号を取得する。前記受信デジタル信号は、デジタルＴＶプロセッサ２０によってビデオデータにデコード及びエンコードされ、前記ビデオデータは、前記一組の信号アクセス端子(ＵＳＢ_ＤＮ、ＵＳＢ_ＤＰ)を通して、コネクタ１１の信号アクセスピン４、６に送られ、前記携帯端末がビデオデータを表示するために、さらに前記携帯端末に送られる。
【００２５】
前述の設計では、前記バッテリーレスデジタルＴＶ受信機が前記携帯端末に接続された後、ユーザが前記携帯端末のデジタルＴＶ番組を見ることが可能になる。その間、前記バッテリーレスデジタルＴＶ受信機は、動作電力を取得することができ、それは約９７ｍＡであり、また、それは１００ｍＡより少ない厳しい電力要件を満たしている。
【００２６】
アップル社は、また、デジタルＴＶ受信機が携帯端末に差し込まれているがソフトウェアプログラムが全く開始されていない状態又は前記デジタルＴＶ受信機が携帯端末に差し込まれた後、ソフトウエアが動作しているが前記デジタルＴＶ受信機でデジタルＴＶ番組が表示されていないような状態など、低出力モードと関連した他の運用要求事項を有する。前記低出力モードでの運用要求事項は、電流消費が１０ｍＡより少なくなければならないことを規定する。したがって、本実施形態では、デジタルＴＶ受信機が携帯端末に電気的に接続されているときの該デジタルＴＶ受信機及び携帯端末間の通信インタフェースは、汎用非同期送受信回路(ＵＡＲＴ)インタフェースである。前記デジタルＴＶ受信機は、ＵＡＲＴインタフェースを通して低出力モードに切り換えることができ、消費電流は５ｍＡより少ない。前記携帯端末のソフトウエアが開始し、デジタルＴＶ番組が前記携帯端末で表示されるとき、前記デジタルＴＶ受信機は、ＵＡＲＴインタフェースを通して通常の電力モードに切り換えられ、消費電流は約９７ｍＡである。さらに、デジタルＴＶ受信機のアンテナ１２１がデジタルＴＶ信号の受信に失敗するか、前記携帯端末のソフトウエアが終了するとき、前記デジタルＴＶ受信機は、電力管理をより効率的にすべく、ＵＡＲＴインタフェースを通して低電力モードに切り換えることができる。
【００２７】
図１のさらなる参照によれば、前記デジタルＴＶ受信機の本体１０は、さらに出力ポート１３を備える。図３のさらなる参照によれば、出力ポート１３は、マイクロＵＳＢインタフェースであり、電力ピン(ＶＢＵＳ)を有する。前記電力ピン(ＶＢＵＳ)は、直流電力(ＵＳＢ５．０Ｖ)を供給し、また、デジタルＴＶプロセッサ２０が携帯端末を充電すべく電力が出力ポート１３から入力されるか否かを決定するように、充電信号(充電オン)をデジタルＴＶプロセッサ２０に提供する。
【００２８】
本実施形態では、電力が電力ポート１３を通して出力されるときに生じる過電圧又は過電流が携帯端末を損うことを防止するために、電力ポート１３の電力ピン(ＶＢＵＳ)は、さらに、保護モジュール７０を通してコネクタ１１の電力出力端子(５．０Ｖ)に接続されている。さらに図４を参照するに、保護モジュール７０は、探知装置７１、電子スイッチ７３及び電源装置７２を有する。探知装置７１は、電力ポート１３の電力ピン(ＶＢＵＳ)に接続され、電力ポート１３を通して入力された直流電力(ＵＳＢ５．０Ｖ)が定格電圧又は電流のいずれかを越えているか否かを検出し、電子スイッチ７３がスイッチオンされるか否かを決定するために使われる。本実施形態では、電子スイッチ７３は、エンハンスメント形ＮＭＯＳ(ＮチャンネルＭＯＳＦＥＴ)で構成されており、前記エンハンスメント形ＮＭＯＳのゲートは、探知装置７１の出力端子に接続されており、前記ＮＭＯＳのドレインは電源装置７２のインネーブル／フォルト端子に接続されている。電源装置７２は、電力ポート１３の電力ピン(ＶＢＵＳ)に接続された入力端子と、コネクタ１１の出力ピンに接続された出力端子とを有し、電力ポート１３を通して入力された直流電力(ＵＳＢ５．０Ｖ)を変換し、また、コネクタ１１を通して携帯端末を充電するように、コネクタ１１に変換された電力を出力する。入力された直流電力(ＵＳＢ５．０Ｖ)が不完全であることを探知装置７１が検出すると、電子スイッチ７３は、電力ポート１３の電力ピン(ＶＢＵＳ)の電圧をアースに落とす。そうでなければ、直流電力(ＵＳＢ５．０Ｖ)は、電源装置７２に出力され、携帯端末を充電するために、電源装置７２は、コネクタ１１の出力ピン(５．０Ｖ)に安定した電圧を出力する。電源が入手可能な場合、携帯端末は、デジタルＴＶ番組を表示動作するに十分な電力を得るように、デジタルＴＶ受信機を通して充電することができる。
【符号の説明】
【００２９】
１０  本体
１１  コネクタ
１２  アンテナポート
１３  電力ポート
２０  デジタルＴＶプロセッサ
３０  ＲＦ受信モジュール
３１、３２  デジタル信号チューナ
４０  認証チップ
５０  メモリー
６０  切り換え電力変換モジュール
６１、６２  切り換え電力コンバータ
７０  保護モジュール
【図１】
0003172395.tif 000003
【図２】
0003172395.tif 000004
【図３】
0003172395.tif 000005
【図４】
0003172395.tif 000006
【図５】
0003172395.tif 000007
【図６】
0003172395.tif 000008